(57)【特許請求の範囲】
【請求項１】
遊技球を貯留可能な皿と、
遊技球を前記皿へ誘導可能な球通路と、
前記球通路に滞留する遊技球が当接することにより非検出位置から検出位置へ移動可能な検出レバーと、
前記検出レバーが前記検出位置に移動したことを検出することにより前記皿に遊技球が満タンになったことの検出信号を出力可能な満タン検出スイッチと、
前記検出レバーの前記非検出位置から前記検出位置への移動を阻止するロック位置及び、前記検出レバーの前記非検出位置から前記検出位置への移動を可能にするアンロック位置に移動可能なロックレバーとを備えたことを特徴とする遊技機。
【請求項２】
前記ロックレバーは、前記ロック位置にあるとき、前記検出レバーに係合することにより前記検出レバーの前記非検出位置から前記検出位置への移動を阻止し、前記アンロック位置にあるとき、前記検出レバーから外れることにより前記検出レバーの前記非検出位置から前記検出位置への移動を可能にすることを特徴とする請求項１記載の遊技機。
【発明の詳細な説明】
【技術分野】
【０００１】
本発明は、遊技球貯留量が満タンか否かを検出するための満タン検出スイッチを備えた遊技機に関する。
【背景技術】
【０００２】
特にパチンコ機等の遊技機においては、球払出装置から払い出される貸球や賞球等の遊技球を貯留し、当該貯留している遊技球を遊技盤の遊技領域へ発射するための発射装置へ供給可能な上皿と、上皿で貯留しれきれなくなった遊技球を貯留する下皿と、上皿で貯留しきれなくなった遊技球を下皿へ流下させる球通路と、当該球通路に設けられ下皿に貯留されている遊技球が満タンか否かを検出する満タン検出スイッチとを備え、下皿が満タン状態となって球通路に滞留した遊技球が満タン検出スイッチに当接することによって下皿が遊技球で満タンであることを検出するようになっている（例えば、特許文献１参照）。
【先行技術文献】
【特許文献】
【０００３】
【特許文献１】特開２００８−２４６１２４号公報
【発明の概要】
【発明が解決しようとする課題】
【０００４】
上記特許文献１記載の遊技機においては、上皿で貯留しきれなくなった遊技球が球通路を下皿へ向けて流下する際、遊技球が設定通りの経路を辿って流下する状態においては満タン検出スイッチに当接することはないが、球通路を流下する多数の遊技球の一部には、遊技球同士の衝突等によって流下方向、流下速度等が変化し、下皿が満タンになっていないにも係わらず満タン検出スイッチに当接するものもある。このように、下皿が満タン状態になっていないにも係わらず遊技球が満タン検出スイッチに当接した場合、下皿に遊技球が満タンであると誤検出しないように、通常、満タン検出スイッチが遊技球を検出した時間を計測し、計測時間が所定時間を超えた場合のみ下皿が満タンであると判断して、下皿が満タンである旨をスピーカ等を利用した遊技者の聴覚を通した音声報知、画像表示器あるいは発光素子を使用した遊技者の視覚を通した報知の他、下皿満タン状態の検出信号を遊技場の管理コンピュータ等、遊技機の外部機器に対して出力することにより、遊技場の係員が携帯する端末装置(情報端末機、ヘッドセット等の業務指示装置等)を通して満タン状態を報知するようにしている。なお、以下、このように下皿が満タン状態になっている状態を遊技機から遊技者の視覚、聴覚を通じて報知すること、及び外部機器に遊技機の下皿満タン状態の検出信号を出力することを、以下、単に「音声報知」と記す。
【０００５】
しかし、満タン検出スイッチが遊技球を検出した時間を計測する手段においては、遊技球の流下方向や速度の変化等による誤検出に対しては対応可能であるが、下皿内で遊技球同士の球噛み現象等が発生して、下皿に遊技球が完全に満タンになっていないにも係わらず、遊技球が満タン検出スイッチを所定時間押し続けて、下皿が満タンである旨を遊技者に対して誤報知する虞がある。さらには、遊技球が球通路を流下する際、遊技球が既に球通路内に滞留している遊技球に流下する勢いで衝突すると、流下した遊技球が跳ね上がって満タン検出スイッチの検出部に当接して検出部を検出状態に作動させる場合がある。遊技球が満タン検出スイッチの検出部に当接する頻度が多いと、満タン検出スイッチを有接点式のものを採用している場合には、満タン検出スイッチの接点寿命を縮めることとなる。
【０００６】
本発明は、かかる課題に鑑みなされたものであって、皿が遊技球で満タンになったことを確実に検出可能とすると共に、満タン検出スイッチの接点寿命を延ばすことを可能にした遊技機を提供することを目的とする。
【課題を解決するための手段】
【０００７】
本発明によると、上記課題は、次のようにして解決される。
第１の発明は、遊技球を貯留可能な皿と、遊技球を前記皿へ誘導可能な球通路と、前記球通路に滞留する遊技球が当接することにより非検出位置から検出位置へ移動可能な検出レバーと、前記検出レバーが前記検出位置に移動したことを検出することにより前記皿に遊技球が満タンになったことの検出信号を出力可能な満タン検出スイッチと、前記検出レバーの前記非検出位置から前記検出位置への移動を阻止するロック位置及び、前記検出レバーの前記非検出位置から前記検出位置への移動を可能にするアンロック位置に移動可能なロックレバーとを備える。
【０００８】
第２の発明は、第１の発明において、前記ロックレバーは、前記ロック位置にあるとき、前記検出レバーに係合することにより前記検出レバーの前記非検出位置から前記検出位置への移動を阻止し、前記アンロック位置にあるとき、前記検出レバーから外れることにより前記検出レバーの前記非検出位置から前記検出位置への移動を可能にする。
【発明の効果】
【０００９】
本発明によると、満タン検出スイッチの誤検出を防止すると共に、満タン検出スイッチの接点寿命を延ばすことが可能となる。
【図面の簡単な説明】
【００１０】
【図１】本発明における実施形態を適用したパチンコ機の斜視図である。
【図２】ガラス枠を開けた状態の遊技機の斜視図である。
【図３】球誘導ユニットの斜視図である。
【図４】球誘導ユニットの後側の第２ケースの斜視図である。
【図５】第２ケースの正面図である。
【図６】球誘導ユニットの要部の拡大正面図である。
【図７】遊技球が下皿球通路の下流側に一杯になる直前状態を示す球誘導ユニットの要部の拡大正面図である。
【図８】遊技球が下皿球通路の下流側に一杯になった満タン状態を示す球誘導ユニットの要部の拡大正面図である。
【図９】球誘導ユニットにおける下流側の要部の一部破断拡大正面図である。
【図１０】遊技球が下皿球通路の下流側に一杯になる直前状態を示す球誘導ユニットにおける下流側の要部の一部破断拡大正面図である。
【図１１】遊技球が一段で貯留された状態を示す球誘導ユニットにおける下流側の要部の一部破断拡大正面図である。
【図１２】遊技球が下皿球通路の下流側に一杯になった満タン状態を示す球誘導ユニットの下流側の要部の一部破断拡大正面図である。
【図１３】ロックレバーがロック位置へ復帰する際の状態を示す球誘導ユニットの下流側の要部の一部破断拡大正面図である。
【発明を実施するための形態】
【００１１】
以下、本発明の一実施形態を、図面に基づいて説明する。
図１、２に示すように、パチンコ機１は、外郭を形成してパチンコホールの島設備に設置される矩形枠状の外枠２を備える。外枠２の前面には、合成樹脂または金属等で形成された内枠３が嵌め込まれており、内枠３の下側には、合成樹脂の下飾り板４が設けられる。
【００１２】
内枠３は、左上下部が外枠２の左上下部に設けられた一対のヒンジ部２１、２２により鉛直軸回りに前後方向へ開閉可能に枢支される。
【００１３】
内枠３の前面には、パチンコ機１の前面を形成する枠状の前扉５が上下一対のヒンジ部２１、２２により鉛直軸回りに前後方向へ開閉可能に枢支されている。前扉５には、ガラス板６が嵌め込まれている。
【００１４】
さらに、内枠３には、盤面に円形の遊技領域７１を形成した遊技盤７が着脱可能にセットされている。遊技盤７の盤面はガラス板６により覆われ、遊技領域７１は、ガラス板６を透して前方から視認可能となっている。外枠２の前面左下部には、遊技の状況に応じた効果音を出力する低音用のスピーカ８が設けられる。また、遊技盤７の裏側には、遊技を電気的に制御するための制御部（図示略）が配置される。
【００１５】
遊技領域７１には、遊技盤７の下側に設けられる発射装置（図２参照）１１により遊技領域７１に打ち込まれた遊技球の流下方向を変化させる多数の遊技釘（図示略）、遊技領域７１に打ち込まれた遊技球が入賞可能な始動口７２、複数列の図柄を変動表示可能な例えば液晶ディスプレイからなる表示部７３、遊技者にとって不利な第１状態（遊技球が入賞不能な閉鎖状態）と遊技者にとって有利な第２状態（遊技球が入賞可能な開放状態）とに変化可能な大入賞口７４、遊技領域７１に打ち込まれた遊技球のうち始動口７２、大入賞口７４等に入賞しなかったアウト球を遊技盤７の裏面側に送り出すアウト口７５等が設けられる。
【００１６】
遊技領域７１に打ち込まれた遊技球が始動口７２に入賞すると、これを契機に制御部によって所定の確率に基づいて実行される抽選の結果、大当りとなって表示部７３に変動表示されていた図柄が所定の組合せで停止して大当り（大役）に確定表示された場合（例えば、複数列に同一の図柄が揃った場合）には、大当り状態を生起させて、大入賞口７４を第１状態から第２状態に変化させる。大当り状態のときには、第２状態にある大入賞口７４に多数の遊技球が入賞可能となり、遊技盤７の裏側に設けられる球払出装置（図３参照）２０から賞球として大量の遊技球が払い出される。
【００１７】
前扉５の左右両側には、遊技の状況に応じて点灯、消灯及び点滅して照明による演出を行う複数の光源を内蔵した照明部９Ｌ、９Ｒが設けられ、また、同じく左右上部には、遊技の状況に応じた効果音を出力する中高音用のスピーカ１０Ｌ、１０Ｒが設けられる。さらに、前扉５の前面下部には、払出装置２０から払い出される遊技球を貯留して発射装置１１へ供給可能な上皿１２と、上皿１２の真下にあって、上皿１２で貯留しきれなくなった遊技球を貯留するための下皿１３が設けられる。
【００１８】
上皿１２は、貯留される遊技球が正面視で右方向へ転動するように、底面が正面視で左側から右側へ向けて下り傾斜している。さらに、上皿１２の底面の傾斜方向下流側には、上皿１２に貯留される遊技球を１列に整列して発射装置１１へ誘導する整列通路１２１が設けられる。
【００１９】
上皿１２の左奥面には、球払出装置２０から払い出される貸し球や賞球等の遊技球が排出される球払出口１２２が設けられる。
【００２０】
下皿１３の奥面には、上皿１２に貯留しきれなくなって後述の下皿球通路１５４により誘導されてくる遊技球を下皿１３に排出するための球払出口１３１が設けられる。さらに、下皿１３の底面には、下皿１３の前面に左右方向へスライド可能に設けられた下皿用球抜きレバー１３２を操作することにより開放して下皿１３に貯留されている遊技球を下皿１３の下方に配置される球箱（図示略）へ排出するための球抜き孔１３３が設けられる。
【００２１】
前扉５の前面右下部には、発射装置１１と電気的に接続されて打球の発射力を調整するための発射ハンドル１４の握り部位に設けられたハンドルリング１４ａが水平軸回りに回転可能に設けられる。
【００２２】
パチンコ機１内の内枠３における遊技盤７の下側には、図３に示すような球誘導ユニット１５が設けられる。球誘導ユニット１５は、合成樹脂製の前側の第１ケース１５Ａと、第１ケース１５Ａの後側に組み付けられる第２ケース１５Ｂとから構成される。なお、第１ケース１５Ａの前面には、図２に示すように、第１ケース１５Ａの前面を閉塞するカバー１５Ｃ及び発射装置１１等が組み付けられるが、図３においては、球誘導ユニット１５の内部構造を明示するため、カバー１５Ｃ及び発射装置１１等を省略して示している。
【００２３】
なお、本実施形態においては、球誘導ユニット１５は、内枠３の下側に配置されて、球誘導ユニット１５と内枠３とを別体に設けている例を説明するが、これに限定されるものではなく、球誘導ユニット１５と内枠３とを一体に設けた構成としても良い。また、第１ケース１５Ａと第２ケース１５Ｂとを一体構造としても良い。
【００２４】
球誘導ユニット１５には、第２ケース１５Ｂの左奥上部にあって、球払出装置２０から払い出される貸し球や賞球（以下、「遊技球Ｂ」と記す）を受け入れる球受入口１５１と、第１ケース１５Ａの左上面にあって、前扉５を閉じた状態で、球受入口１５１から受け入れた遊技球Ｂを上皿１２へ誘導するように上皿１２の球払出口１２２に連通する上皿球通路１５２と、第２ケース１５Ｂの前面にあって、上皿１２に貯留しきれなくなって上皿球通路１５２に溢れた遊技球Ｂを下皿１２へ向けて流下させるための下皿球通路１５３と、第１ケース１５Ａの前面下部にあって、前扉５を閉じた状態で、下皿球通路１５３を流下した遊技球Ｂが下皿１３に流れ込むように、下皿１３の球払出口１３１に連通する下皿連通口１５４が設けられる。
【００２５】
図４、５に示すように、球誘導ユニット１５の第２ケース１５Ｂに設けられる下皿球通路１５３は、上皿球通路１５２上に溢れて下皿球通路１５３を流下する遊技球Ｂを右方向（下流方向）へ転動させるように上面が右下向き傾斜する上傾斜面１５３１と、上傾斜面１５３１上の右端から落下した遊技球Ｂを受け止めて右方向へ誘導し得るように、上傾斜面１５３１よりも低い位置にあって、かつ右方向へ僅かに下り傾斜する下傾斜面１５３２と、下傾斜面１５３２に誘導された遊技球Ｂを下皿連通口１５４へ向けて誘導し得るように傾斜する前向傾斜面１５３３とを連続して形成する。
【００２６】
下皿球通路１５３における上流側の上傾斜面１５３１の右端下方には、前後方向の軸１７１回りに左右方向へ揺動可能に枢支される検出レバー１７と、検出レバー１７の左側に配置され、検出レバー１７の揺動を検出可能な有接点式の満タン検出スイッチ１６とが設けられる。
【００２７】
下皿球通路１５３における下流側の下傾斜面１５３２には、前後方向の軸１８１回りに上下方向へ揺動可能なロックレバー１８が設けられる。
【００２８】
検出レバー１７は、常時は右側面が上傾斜面１５３１と下傾斜面１５３２との間の垂直方向を向く段差面１５３４から下皿球通路１５３へ突出した非検出位置（図４〜７、図９〜１１に示す位置）に保持され、下皿１３が満タンになることに伴って下皿球通路１５３の下流側に滞留する遊技球Ｂが右方から当接することによって非検出位置から左方へ所定角度揺動する検出位置（図８、１２に示す位置）に移動する。なお、検出レバー１７を非検出位置に保持する手段としては、本実施形態においては満タン検出スイッチ１６の舌片状の検出部１６１をＯＦＦ方向（例えば、図６においておいて右方）へ付勢するばね力が使用されるが、これに限定されるものでなく、検出レバー１７を非検出位置に向けて付勢するための専用のばねを別に設けても良い。
【００２９】
検出レバー１７における下端面の左部には、上方へ向けて凹んだ係合部１７２が形成され、同じく左側面には、満タン検出スイッチ１６の検出部１６１に当接可能な突起部１７３が設けられる。
【００３０】
満タン検出スイッチ１６は、検出レバー１７が非検出位置から検出位置へ移動して、検出部１６１が検出レバー１７の突起部１７３により図８、１２、１３に示すように左方へ押し込まれることによってＯＦＦ状態からＯＮ状態に切り替わる。満タン検出スイッチ１６のＯＮ信号（下皿１３に遊技球Ｂが満タンになったことの検出信号）は、制御部に送信される。制御部は、満タン検出スイッチ１６からのＯＮ信号を所定時間継続して受信した場合に遊技球Ｂが下皿１３に満タン状態であると判断し、下皿１３が満タンである旨を遊技者に対して「音声で報知」するように照明部９Ｌ、９Ｒ、スピーカ８、１０Ｌ、１０Ｒまたは表示部７３を駆動制御する。
【００３１】
ロックレバー１８は、図５に示すように、右端（遊技球Ｂが転動する方向の端）が下傾斜面１５３２の下側に軸１８１により枢支されると共に、図９〜１３に示すように、左端部の下面に配置される付勢手段をなすばね１９の付勢力によって上方へ付勢され、常時は、例えば図５、６、９に示すように上面が下傾斜面１５３２から傾斜した状態で突出するロック位置に保持され、ロックレバー１８上に下皿球通路１５３の下傾斜面１５３２に滞留する所定数以上の遊技球Ｂが同時に乗り上げて所定以上の重みが作用した場合には、ばね１９の付勢力に抗してロック位置から下方へ所定角度揺動した図８、１０、１２に示すアンロック位置へ移動する。なお、本実施形態において、付勢手段を構成するばね１９をコイルばねとするが、本発明は、これに限定されるものでなく、付勢手段を軸１８１回りに配置される捩りばねとしても良い。
【００３２】
ロックレバー１８の左端部上面には、検出レバー１７の係合部１７２に対して係脱可能な爪部１８２が上方へ向けて突設され、爪部１８２の右上隅には、テーパー面１８２１が形成される。
【００３３】
ロックレバー１８の爪部１８２は、ロックレバー１８がロック位置にあるとき、換言すると下皿１３に遊技球Ｂが満タンになっていないとき、下傾斜面１５３２から突出して検出レバー１７の係合部１７２に係合することによって検出レバー１７の非検出位置から検出位置への移動を阻止し、またロックレバー１８がアンロック位置にあるとき、換言すると下皿１３に遊技球Ｂが満タンになって下皿球通路１５３の下傾斜面１５３２に複数の遊技球Ｂが滞留したとき、検出レバー１７の係合部１７２から外れることによって検出レバー１７の非検出位置から検出位置への移動を可能にする。
【００３４】
ロックレバー１８における爪部１８２のテーパー面１８２１は、ロックレバー１８がアンロック位置からロック位置に復帰する際、爪部１８２が検出レバー１７の係合部１７２に円滑に係合して、検出レバー１７を正規の非検出位置に確実に移動させるものである。なお、テーパー面は、ロックレバー１８の爪部１８２に設けた構成に加えて、または代えて検出レバー１７における係合部１７２の下隅に設けても良い。
【００３５】
次に、本実施形態の作用について説明する。
遊技領域７１に打ち込まれた遊技球が始動口７２に入賞し、これを契機に基づいて実行される制御部の抽選の結果、大当りが生起されると、前述のように球払出装置２０から大量の遊技球Ｂが払い出される。
【００３６】
球払出装置２０から払い出された遊技球Ｂは、球誘導ユニット１５の球受入口１５１から受け入れられて上皿球通路１５２、球払出口１２２を通って上皿１２に流れ込んで貯留される。上皿１２が遊技球Ｂで満タンになって上皿球通路１５２に遊技球Ｂが溢れると、図５、６に示すように、上皿球通路１５２に溢れた遊技球Ｂは、下皿球通路１５３側へ流下して、上流側の上傾斜面１５３１を右方へ向けて転動し上傾斜面１５３１の右端から下流側の下傾斜面１５３２上に落下する。このときは、下皿１３に遊技球Ｂが未だ満タンになっていないため下皿球通路１５３の下傾斜面１５３２に遊技球Ｂが滞留していない。よって、図５、６に示すように、ロックレバー１８は、ばね１９の付勢力によってロック位置に保持されて爪部１８２が検出レバー１７の係合部１７２に係合して検出レバー１７を非検出位置に拘束している。したがって、この状態にあっては、下傾斜面１５３２に落下した遊技球Ｂが検出レバー１７へ向けて跳ね返ったり、遊技球Ｂ同士の衝突等により遊技球Ｂの流下方向が変化したりして、遊技球Ｂが検出レバー１７に当接しても、検出レバー１７は検出位置へ移動することはない。よって、満タン検出スイッチ１６の検出部１６１が必要としないときの作動を阻止して、満タン検出スイッチ１６の接点寿命を延ばすことが可能となり、かつ誤検出も確実に防止することが可能となる。
【００３７】
さらに、球払出装置２０からの遊技球Ｂの払い出しが継続されて、下皿１３に遊技球Ｂが満タンになると、図７に示すように、遊技球Ｂは、下皿球通路１５３の下傾斜面１５３２に滞留し始め、ロックレバー１８上に乗り上げる。しかし、この状態においては、遊技球Ｂが下傾斜面１５３２に未だ一杯になっていないことから、ロックレバー１８上に乗り上げている遊技球Ｂの数が少なく、ロックレバー１８に作用する下向きの荷重が小さいため、ロックレバー１８は、ばね１９の付勢力に抗して若干下方へ移動するものの、爪部１８２が検出レバー１７の係合部１７２に依然として係合し、検出レバー１７の検出位置への移動を阻止している。したがって、遊技球Ｂが下傾斜面１５３２に僅かに滞留している状態においても、満タン検出スイッチ１６の誤検出を確実に防止することができる。
【００３８】
例えば図１１に示すように、下皿球通路１５３の下傾斜面１５３２に遊技球Ｂが上下に重なり合わない状態で貯留されて一段状態でロックレバー１８上に乗り上げても、ロックレバー１８に作用する下向き荷重が不十分であるため、ロックレバー１８は、依然としてロック位置に保持され、検出レバー１７の検出位置への移動を阻止する。したがって、下皿球通路１５３の下傾斜面１５３２で球噛み現象が発生して、遊技球Ｂが下傾斜面１５３２上に一杯なっていない状態で検出レバー１７に当接しても、検出レバー１７は検出位置へ移動することはない。これにより、遊技球Ｂが下傾斜面１５３２に一杯になる以前に、遊技者に対して下皿１３の球抜きの報知を行うことを確実に防止することが可能となる。
【００３９】
遊技球Ｂが球払出装置２０からさらに払い出されて、下皿１３から溢れた遊技球Ｂが下皿球通路１５３の下傾斜面１５３２に一杯になると、図１０に示すように、上下に重なり合った複数の遊技球Ｂがロックレバー１８上に乗り上げることによって、ロックレバー１８は、複数の遊技球Ｂの重みによって、ばね１９の付勢力に抗してロック位置からアンロック位置に移動する。
【００４０】
ロックレバー１８がアンロック位置に移動した状態で、さらに下皿球通路１５３内を流下してくる遊技球Ｂが下傾斜面１５３２に滞留している遊技球Ｂ上に落下すると、図８、１２に示すように、当該落下した遊技球Ｂが検出レバー１７を左方へ押し込むように検出レバー１７の右側面に当接する。これによって、検出レバー１７は、非検出位置から検出位置に移動し、満タン検出スイッチ１６の検出部１６１を押し込んで満タン検出スイッチ１６をＯＮ状態とする。そして、満タン検出スイッチ１６のＯＮ状態が所定時間継続すると、制御部は、満タン検出スイッチ１６のＯＮ信号が所定時間継続したことに基づいて、下皿１３に遊技球Ｂが満タンになったものと判断して、遊技者に対して下皿１３の球抜きを行うように照明部９Ｌ、９Ｒ、スピーカ１０Ｌ、１０Ｒまたは表示部７３が「音声で報知」するように制御する。
【００４１】
球抜きの報知に基づいて、遊技者が下皿用球抜きレバー１３２をスライド操作して、球抜き孔１３３を開放すると、下皿１３に貯留されていた遊技球Ｂは、球抜き孔１３３から球箱へ排出される。
【００４２】
下皿１３内の遊技球Ｂが球箱へ排出されると、これに伴って、ロックレバー１８上に乗っている遊技球Ｂを含む下傾斜面１５３２に滞留している遊技球Ｂは、前向傾斜面１５３３、下皿連通孔１５４、球払出口１３１を通って下皿１３に流れ込む。これにより、ロックレバー１８上に乗った状態で検出レバー１７に当接している遊技球Ｂが無くなることから、検出レバー１７は、満タン検出スイッチ１６の検出部１６１の弾性力をもって検出位置から非検出位置に復帰し、ロックレバー１８は、ばね１９の付勢力をもってアンロック位置からロック位置に復帰して爪部１８２が検出レバー１７の係合部１７２に係合して検出レバー１７の検出位置への移動を阻止する。検出レバー１８が非検出位置に移動することにより、満タン検出スイッチ１６は、ＯＮ状態からＯＦＦ状態に切り替わり、制御部は、これを契機に球抜き報知の制御を停止する。
【００４３】
なお、ロックレバー１８の爪部１８２が検出レバー１８の係合部１８２に係合する際、図１３に示すように、検出レバー１８が非検出位置から検出位置へ僅かに移動した位置にあっても、爪部１８２の右上隅にはテーパー面１８２１が形成されているため、爪部１８２は、係合部１８２に確実に係合して検出レバー１８を検出位置へ強制移動させる。
【００４４】
以上のように、本実施形態においては、下皿球通路１５３に、下皿球通路１５３に滞留している遊技球Ｂが当接することにより非検出位置から検出位置へ移動可能な検出レバー１７と、検出レバー１７が検出位置に移動したことを検出することにより下皿１３に遊技球Ｂが満タンになったことの検出信号を出力可能な満タン検出スイッチ１６と、下皿１３が満タンになることに伴って下皿球通路１５３に滞留する遊技球Ｂが複数乗り上げることによって、検出レバー１７の非検出位置から検出位置への移動を阻止するロック位置から可能にするアンロック位置へ移動可能なロックレバー１８とを設けたことによって、下皿１３が満タンになって遊技球Ｂが下皿球通路１５３に一杯になったとき、検出レバー１７の検出位置への移動が可能となるため、下皿１３が遊技球Ｂで満タンになったことを確実に検出することが可能となる。また、下皿球通路１５３が遊技球Ｂで一杯になってないときには、下皿球通路１５３で跳ね返った遊技球Ｂが検出レバー１７に当接しても、検出レバー１８の非検出位置から検出位置への移動が阻止されるため、満タン検出スイッチ１６の接点寿命を延ばすことが可能となる。
【００４５】
以上、本発明の実施形態について説明したが、本発明の要旨を逸脱しない範囲内で、上記実施形態に対して、次のような変形や変更を施すことが可能である。
（ｉ）満タン検出スイッチ１６を有接点式のスイッチに代えて、無接点式のスイッチとする。
（ii）ロックレバー１８をばね材で形成し、自らの弾性力でロック位置に復帰するようにする。この場合は、ロックレバー１８自体がロックレバー１８をロック位置へ付勢する付勢手段を構成する。
【符号の説明】
【００４６】
１  パチンコ機                        ２  外枠
３  内枠                              ４  下飾り板
５  前扉                              ６  ガラス板
７  遊技盤                            ８  スピーカ
９Ｌ、９Ｒ  照明部                    １０Ｌ、１０Ｒ  スピーカ
１１  発射装置                        １２  上皿
１３  下皿                            １４  発射ハンドル
１４ａ  ハンドルリング                １５  球誘導ユニット
１５Ａ  第１ケース                    １５Ｂ  第２ケース
１５Ｃ  カバー                        １６  満タン検出スイッチ
１７  検出レバー                      １８  ロックレバー
１９  ばね（付勢手段）                ２０  球払出装置
２１、２２  ヒンジ部                  ７１  遊技領域
７２  始動口                          ７３  表示部
７４  大入賞口                        ７５  アウト口
１２１  整列通路                      １２２  球払出口
１３１  球払出口                      １３２  下皿用球抜きレバー
１３３  球抜き孔                      １５１  球受入口
１５２  上皿球通路                    １５３  下皿球通路
１５４  下皿連通口                    １６１  検出部
１７１  軸                            １７２  係合部
１７３  突起部                        １８１  軸
１８２  爪部                          １５３１  上傾斜面
１５３２  下傾斜面                    １５３３  前向傾斜面
１５３４  段差面                      １８２１  テーパー面
Ｂ  遊技球
【図１】
0006033385.tif 000002
【図２】
0006033385.tif 000003
【図３】
0006033385.tif 000004
【図４】
0006033385.tif 000005
【図５】
0006033385.tif 000006
【図６】
0006033385.tif 000007
【図７】
0006033385.tif 000008
【図８】
0006033385.tif 000009
【図９】
0006033385.tif 000010
【図１０】
0006033385.tif 000011
【図１１】
0006033385.tif 000012
【図１２】
0006033385.tif 000013
【図１３】
0006033385.tif 000014